(57)【要約】【課題】  容量が多い検知データをアクセスポイントへ送信する必要が発生した場合でも容易に当該検知データを送信するようアクセスポイントと無線通信を行う。【解決手段】  複数の無線周波数でアクセスポイントＡＰと無線通信可能な通信装置と、イベント発生時に検知データを出力するセンサＣ１と、イベント発生時の無線周波数及び通常時の無線周波数をデータ化した無線周波数データベースＤＢを格納した記憶装置２１と、検知データが入力されたか否かでイベント発生を判定するイベント発生判定手段２３と、無線周波数データベースＤＢから通常時又はイベント時に用いる無線周波数を抽出する無線周波数抽出手段２４と、抽出した無線周波数に通信装置の無線周波数を切り替える無線周波数抽出手段２５と、通信装置を用いて通常時データ又は検知データをアクセスポイントＡＰに通知する通知手段２６とを備えることを特徴とする。【選択図】      図１
2006135491.tif 000002
【特許請求の範囲】
【請求項１】
イベント発生時と通常時とで切り替えられて用いられる干渉しない複数の無線周波数を用いてアクセスポイントと無線通信可能な通信装置と、
イベントが発生したことを検知し、検知したことを示す検知符号をデータ化した検知データを出力するセンサと、
前記センサの検知符号を関連付けたイベント発生時の無線周波数及び通常時を示す通常時符号を関連付けた通常時の無線周波数をデータ化した無線周波数データベースを格納した記憶装置と、
前記センサから前記検知データを入力した場合にイベント発生時と判定して前記検知データを出力し、前記センサから前記検知データを入力しない場合に通常時と判定して、通常時を示す通常時符号をデータ化した前記通常時データを出力するイベント発生判定手段と、
前記イベント発生判定手段から入力した前記通常時データ又は前記検知データに基づいて、前記無線周波数データベースから前記通常時データ又は前記検知データに示された通常時符号又は検知符号を検索し、検索された通常時符号又は検知符号に関連付けられている無線周波数を抽出し、入力した前記通常時データ又は前記検知データを出力する無線周波数抽出手段と、
前記無線周波数抽出手段から前記通常時データ又は前記検知データを入力し、前記無線周波数抽出手段で抽出した無線周波数に前記通信装置の無線周波数を切り替え、入力した前記通常時データ又は前記検知データを出力する無線周波数切り替え手段と、
前記無線周波数切り替え手段から前記通常時データ又は前記検知データを入力し、前記通信装置によって前記通常時データ又は前記検知データを前記アクセスポイントへ通知する通知手段と、
を備えて構成されることを特徴とする無線端末装置。
【請求項２】
複数の請求項１に記載の無線端末装置がイベントの発生を検知したことを示す前記検知データを、イベント発生時に用いる前記アクセスポイントである所定のイベント発生時アクセスポイントを介して管理サーバへ送り、複数の無線端末装置が通常時を示す通常時符号をデータ化した通常時データを、通常時に用いる前記アクセスポイントである所定の通常時アクセスポイントを介して管理サーバへ送る無線通信システムであって、
前記通常時アクセスポイントから送信された前記通常時データ及び前記イベント発生時アクセスポイントから送信された前記検知データを受信する通信装置を備える前記管理サーバと、
通常時に所定の無線周波数で前記無線端末装置と無線通信可能な通信手段を有する通常時アクセスポイントと、前記通常時アクセスポイントと同一の無線通信領域に設置され、イベント発生時に前記通常時アクセスポイントの所定の無線周波数と異なる無線周波数で前記無線端末装置と無線通信可能な通信手段を有するイベント発生時アクセスポイントと、
前記通常時アクセスポイント又は前記イベント発生時アクセスポイントと無線通信し、前記通常時データをこの通常時データの通常時符号に関連付けられた無線周波数で前記通常時アクセスポイントへ送信し、前記検知データをこの前記検知データの検知符号に関連付けられた無線周波数で前記イベント発生時アクセスポイントへ送信する前記無線端末装置と、
を備えて構成されることを特徴とする無線通信システム。
【請求項３】
それぞれ無線周波数が異なった前記イベント発生時アクセスポイントを複数備え、
前記無線端末装置は、それぞれ異なった検知符号をデータ化した検知データを出力する複数の前記センサを備え、
前記無線周波数データベースは、異なる無線周波数と前記各センサから出力される検知データの検知符号とが関連付けられており、
前記無線周波数抽出手段は、入力した検知データの検知符号と関連付けられている無線周波数を前記無線周波数データベースから抽出することを特徴とする請求項２に記載の無線通信システム。
【発明の詳細な説明】
【技術分野】
【０００１】
本発明は、センサが出力した検知データをアクセスポイントを介して管理サーバへ送る無線端末装置及び無線通信システムに関する。
【背景技術】
【０００２】
従来、センサを組み込み、アクセスポイントと無線通信を行う無線端末装置は、通常の場合、無線通信、例えば、ＩＥＥＥ８０２．１１ｂ規格等の無線ＬＡＮ（Ｌｏｃａｌ  Ａｒｅａ  Ｎｅｔｗｏｒｋ）により、少ない容量であって通常時を示す通常時符号をデータ化した通常時データをアクセスポイントへ定常的に送信している。つまり、一つのアクセスポイントの無線通信領域内にこの無線端末装置が複数存在する場合は、通常時に、これら全ての無線端末装置が通常時データを送信するために同一の無線周波数で同一のアクセスポイントと無線通信を行うこととなる。なお、通常時とはイベントが発生していない状態をいう。
【０００３】
また、無線端末装置とアクセスポイントとが各種データを送受信するために用いる前記無線ＬＡＮは、送受信できる容量に上限があるため、一つのアクセスポイントに対して複数の無線端末装置が無線通信を行う場合は、許容される送受信可能な容量を各無線端末装置に均等に割り付けることによって、多くの無線端末装置と無線通信をすることができるようになっている。したがって、無線端末装置が増えれば、割り付けられる送受信可能な容量が少なくなり、無線端末装置が少なくなれば、割り付けられる送受信可能な容量が多くなる。
【０００４】
さらに、設置したセンサの周囲を撮影するために、当該センサから離れた場所に監視装置（ＴＶカメラ，ＣＣＤカメラ等）が設置されている。ここで、当該センサが所定の物理的変化（以下、「イベント」という場合がある。）を検知した場合、このイベントを検知したことを示す検知符号をデータ化した検知データを管理サーバへ送るために、所定の無線周波数で当該アクセスポイントと無線通信を行って検知データをアクセスポイントへ送信している。その際に、イベントを検知したセンサを撮影することができる監視装置によって撮影され、データ化された静止画や動画、音声（以下、「メディアデータ」という。）を検知データとともにアクセスポイントへ送信している。したがって、イベントが発生すると、検知データとメディアデータとをアクセスポイントへ送信しなければならないため、送信するデータが通常時データよりも容量が大きくなる。
【０００５】
ここで、検知データとメディアデータとは結合されて、イベントデータとしてアクセスポイントへ送信される。
なお、カメラとセンサとが一体となったビデオセンサを用いてイベントデータを生成させることもある。
【０００６】
このように、一つのアクセスポイントと同一の無線周波数で無線通信が行える無線通信領域内に複数の無線端末装置が存在する状態において、これら無線端末装置のいずれかがイベントを検知した場合、例えば、イベントを検知して検知データを送信する一つの無線端末装置と通常時を示す通常時符号を送信する残りの無線端末装置とが同一の無線周波数で同一のアクセスポイントと無線通信を行うこととなる。
【０００７】
また、前記アクセスポイントに複数の無線周波数が設けられている場合は、予めそれら複数の無線周波数のそれぞれにいくつかの無線端末装置を割り当て、その割り当てられた無線周波数で同一のアクセスポイントと無線通信を行うこともできる。したがって、各無線周波数に複数台の無線端末装置を割り当てたことで、多数の無線端末装置が一つのアクセスポイントと無線通信を行えるようになっている（例えば、特許文献１参照）。
【特許文献１】特開２００３−１０１５０６号公報（段落０００３〜００１２、図１１）
【発明の開示】
【発明が解決しようとする課題】
【０００８】
しかしながら、同一の無線周波数で同一のアクセスポイントに同時に複数の無線端末装置が無線通信を行うと、これら無線端末装置のうち、例えば、一つの無線端末装置がイベントを検知した場合、出力された検知データとメディアデータとを無線通信によりアクセスポイントへ送信しようとすると、割り付けられている送受信可能な容量が少ないために、当該アクセスポイントとの無線通信が円滑に行われず、アクセスポイントが検知データとメディアデータとを受信終了するのに多くの時間を有するという問題があった。
【０００９】
そこで、本発明では、前記した問題を解決し、容量が多いデータを無線通信によりアクセスポイントへ送信する必要が発生した場合でも、容量が多いデータを容易に送信するようアクセスポイントと無線通信を行う無線端末装置及び無線通信システムを提供することを課題とする。
【課題を解決するための手段】
【００１０】
前記課題を解決するため、本発明は、イベント発生時と通常時とで切り替えられて用いられる干渉しない複数の無線周波数を用いてアクセスポイントと無線通信可能な通信装置と、イベントが発生したことを検知し、検知したことを示す検知符号をデータ化した検知データを出力するセンサと、前記センサの検知符号を関連付けたイベント発生時の無線周波数及び通常時を示す通常時符号を関連付けた通常時の無線周波数をデータ化した無線周波数データベースを格納した記憶装置と、前記センサから前記検知データを入力した場合にイベント発生時と判定して前記検知データを出力し、前記センサから前記検知データを入力しない場合に通常時と判定して、通常時を示す通常時符号をデータ化した前記通常時データを出力するイベント発生判定手段と、前記イベント発生判定手段から入力した前記通常時データ又は前記検知データに基づいて、前記無線周波数データベースから前記通常時データ又は前記検知データに示された通常時符号又は検知符号を検索し、検索された通常時符号又は検知符号に関連付けられている無線周波数を抽出し、入力した前記通常時データ又は前記検知データを出力する無線周波数抽出手段と、前記無線周波数抽出手段から前記通常時データ又は前記検知データを入力し、前記無線周波数抽出手段で抽出した無線周波数に前記通信装置の無線周波数を切り替え、入力した前記通常時データ又は前記検知データを出力する無線周波数切り替え手段と、前記無線周波数切り替え手段から前記通常時データ又は前記検知データを入力し、前記通信装置によって前記通常時データ又は前記検知データを前記アクセスポイントへ通知する通知手段と、を備えて構成されることを特徴とする無線端末装置である。
【００１１】
このように、イベント発生時と通常時とで切り替えられて用いられる干渉しない複数の無線周波数を用いてアクセスポイントと無線通信可能になっており、また、この複数の無線周波数が予め通常時に用いる無線周波数とイベント発生時に用いる無線周波数とに分けられており、無線端末装置のイベント発生判定手段により、センサから検知データが出力されていない場合は通常時データを無線周波数抽出手段へ出力し、センサから検知データが出力されている場合は検知データを無線周波数抽出手段へ出力するようになっている。そして、無線周波数抽出手段は通常時データ又は検知データを入力し、入力した通常時データ又は検知データと関連付けられている無線周波数を無線周波数データベースから抽出して、抽出した無線周波数を無線周波数切り替え手段へ出力する。無線周波数切り替え手段は、無線周波数抽出手段で抽出した無線周波数を入力すると、その抽出した無線周波数に通信装置の無線周波数を切り替える。そして、通知手段により通常時データ又は検知データを通信手段を用いてアクセスポイントへ通知することができるようになっている。
なお、検知データには、監視装置で撮影し、データ化した動画，静止画、音声等のメディアデータを結合させてもよい。
【００１２】
これにより、イベント発生時に用いる無線周波数が他の無線端末装置が無線通信を行っていない状態又は無線通信を行っている他の無線端末装置が少ない状態となっているために、割り付けられる送受信可能な容量が多くなり、イベント発生時には、検知データとメディアデータとの容量の多いデータを容易に送信することができるようになっている。
【００１３】
また、本発明は、複数の請求項１に記載の無線端末装置がイベントの発生を検知したことを示す前記検知データを、イベント発生時に用いる前記アクセスポイントである所定のイベント発生時アクセスポイントを介して管理サーバへ送り、複数の無線端末装置が通常時を示す通常時符号をデータ化した通常時データを、通常時に用いる前記アクセスポイントである所定の通常時アクセスポイントを介して管理サーバへ送る無線通信システムであって、前記通常時アクセスポイントから送信された前記通常時データ及び前記イベント発生時アクセスポイントから送信された前記検知データを受信する通信装置を備える前記管理サーバと、通常時に所定の無線周波数で前記無線端末装置と無線通信可能な通信手段を有する通常時アクセスポイントと、前記通常時アクセスポイントと同一の無線通信領域に設置され、イベント発生時に前記通常時アクセスポイントの所定の無線周波数と異なる無線周波数で前記無線端末装置と無線通信可能な通信手段を有するイベント発生時アクセスポイントと、前記通常時アクセスポイント又は前記イベント発生時アクセスポイントと無線通信し、前記通常時データをこの通常時データの通常時符号に関連付けられた無線周波数で前記通常時アクセスポイントへ送信し、前記検知データをこの前記検知データの検知符号に関連付けられた無線周波数で前記イベント発生時アクセスポイントへ送信する前記無線端末装置と、を備えて構成されることを特徴とする。
【００１４】
このように、イベントが発生していない状態、つまり通常の状態のときに用いられる通常時アクセスポイントと、イベントが発生したときに用いられるイベント発生時アクセスポイントと、を備えているので、無線端末装置のイベント発生判定手段により、センサから検知データが出力されていない場合は通常時データを無線周波数抽出手段へ出力し、センサから検知データが出力されている場合は検知データを無線周波数抽出手段へ出力するようになっている。そして、無線周波数抽出手段は通常時データ又は検知データを入力し、入力した通常時データの通常時符号又は検知データの検知符号と関連付けられている無線周波数を無線周波数データベースから抽出して、抽出した無線周波数を無線周波数切り替え手段へ出力する。無線周波数切り替え手段は、無線周波数抽出手段で抽出した無線周波数を入力すると、その抽出した無線周波数に通信装置の無線周波数を切り替える。
そして、通知手段により通信手段を用いて通常時データを通常時アクセスポイントへ、また、検知データをイベント発生時アクセスポイントへ通知することができるようになっている。
【００１５】
このようにして送信された通常時データは通常時アクセスポイントで受信し、また、検知データはイベント発生時アクセスポイントで受信する。そして、通常時アクセスポイントは、受信した通常時データを管理サーバへ送信し、イベント発生時アクセスポイントは、検知データを管理サーバへ送信する。管理サーバは、通常時アクセスポイントから送信される通常時データ及びイベント発生時アクセスポイントから送信される検知データを受信することができるようになっている。
なお、検知データには、カメラで撮影し、データ化した動画，静止画、音声等のメディアデータを結合させてもよい。
これにより、イベント発生時に用いる無線周波数が他の無線端末装置が無線通信を行っていない又は無線通信を行っている他の無線端末装置が少ない状態となっているために、割り付けられる送受信可能な容量が多くなり、イベント発生時には、検知データとメディアデータとの容量の多いデータを容易に送信することができるようになっている。
【００１６】
また、本発明は、それぞれ無線周波数が異なった前記イベント発生時アクセスポイントを複数備え、前記無線端末装置は、それぞれ異なった検知符号をデータ化した検知データを出力する複数の前記センサを備え、前記無線周波数データベースは、異なる無線周波数と前記各センサから出力される検知データの検知符号とが関連付けられており、前記無線周波数抽出手段は、入力した検知データの検知符号と関連付けられている無線周波数を前記無線周波数データベースから抽出する構成としても良い。
【００１７】
このように、それぞれ無線周波数が異なった複数の前記イベント発生時アクセスポイントを備えているので、各センサで検知したイベントの種類に応じて無線周波数が異なったイベント発生時アクセスポイントをそれぞれ使い分けることができるようになっている。
【発明の効果】
【００１８】
このような無線端末装置及び無線通信システムによれば、容量が多いデータを無線通信によりアクセスポイントへ送信する必要が発生した場合でも、容量が多いデータを容易に送信するようアクセスポイントと無線通信を行うことができる。
【発明を実施するための最良の形態】
【００１９】
次に、本発明を実施するための最良の一形態（以下「実施形態」という）について、図面を参照して詳細に説明する。
なお、各実施形態について、図２（ａ）に示すように、各アクセスポイントが有する無線ＬＡＮの規格をＩＥＥＥ８０２．１１ｂとし、干渉しない複数の無線周波数を、チャンネルＣＨ１（中心周波数２４１２ＭＨｚ，占有周波数帯２４０１ＭＨｚ〜２４２３ＭＨｚ），チャンネルＣＨ６（中心周波数２４３７ＭＨｚ，占有周波数帯２４２６ＭＨｚ〜２４４８ＭＨｚ），チャンネルＣＨ１１（中心周波数２４６２ＭＨｚ，占有周波数帯２４５１ＭＨｚ〜２４７３ＭＨｚ），チャンネルＣＨ１４（中心周波数２４８４ＭＨｚ，占有周波数帯２４７３ＭＨｚ〜２４９５ＭＨｚ）の４チャンネルを用いた場合について説明する。
【００２０】
図１は、本発明の無線通信システムの一例を示す概略図である。図２（ａ）は４つのチャンネルが干渉しない複数の無線周波数となっている状態を示す図であり、図２（ｂ）は３つのチャンネルが干渉しない複数の無線周波数となっている状態を示す図であり、図２（ｃ）は３つのチャンネルが干渉しない複数の無線周波数となっている他の例を示す図であり、図２（ｄ）は２つのチャンネルが干渉しない複数の無線周波数となっている状態を示す図であり、図２（ｅ）は２つのチャンネルが干渉しない複数の無線周波数となっている他の例を示す図である。図３は、本発明の無線端末装置の一例を示すブロック図である。図４（ａ）は無線周波数データベースの一例を示す概念図であり、図４（ｂ）は検知データの一例を示す概念図であり、図４（ｃ）はイベントデータの一例を示す概念図であり、図４（ｄ）は通常時データの一例を示す概念図である。図５は、本発明の無線通信システムの一例を示すフローチャートである。
【００２１】
図１に示すように、本発明の第一の実施形態に係る無線通信システム１００は、無線端末装置２０から送信されるイベントデータ（メディアデータが結合された検知データ）及び通常時を示す通常時符号をデータ化した通常時データを通常時アクセスポイントＡＰ１又はイベント発生時アクセスポイントＡＰ２〜ＡＰ４を中継して受信する管理サーバ１０と、管理サーバ１０と通信し、無線端末装置２０と無線通信をする通常時アクセスポイントＡＰ１及びイベント発生時アクセスポイントＡＰ２〜ＡＰ４と、この通常時アクセスポイントＡＰ１及びイベント発生時アクセスポイントＡＰ２〜ＡＰ４と無線通信をする複数の無線端末装置２０とから構成されている。
【００２２】
管理サーバ１０は、通常時アクセスポイントＡＰ１とイベント発生時アクセスポイントＡＰ２〜ＡＰ４と接続された状態となっており、通常時アクセスポイントＡＰ１とイベント発生時アクセスポイントＡＰ２〜ＡＰ４と通信する通信装置（図示せず）を備え、各無線端末装置２０から送信されるイベントデータ及び通常時データを通常時アクセスポイントＡＰ又はイベント発生時アクセスポイントＡＰ２〜ＡＰ４を介して受信する役割を果たす。この管理サーバ１０により、各無線端末装置２０においてイベントが発生しているか否かの状態を把握することができる。なお、通信装置は公知のものを用いているため、その説明を省略する。
【００２３】
通常時アクセスポイントＡＰ１は、干渉しない複数の無線周波数を有し、第一の通信装置である無線ＬＡＮ（ＩＥＥＥ８０２．１１ｂ）（図示せず）と、管理サーバ１０と通信可能な第二の通信装置（図示せず）と、を備えている。この通常時アクセスポイントＡＰ１は、図１に示すように、管理サーバ１０と接続された状態となっており、干渉しない複数の無線周波数のうちいずれか１つの無線周波数（例えば、チャンネルＣＨ１）で無線端末装置２０と無線通信を行い、無線端末装置２０から送信された通常時データを受信して、その通常時データを管理サーバ１０へ送信する役割を果たす。
【００２４】
イベント発生時アクセスポイントＡＰ２（ＡＰ３，ＡＰ４）は、干渉しない複数の無線周波数を有し、第一の通信装置である無線ＬＡＮ（ＩＥＥＥ８０２．１１ｂ）（図示せず）と、管理サーバ１０と通信可能な第二の通信装置（図示せず）と、を備えている。このイベント発生時アクセスポイントＡＰ２（ＡＰ３，ＡＰ４）は、図１に示すように、管理サーバ１０と接続された状態となっており、干渉しない複数の無線周波数のうちいずれか１つの無線周波数（例えば、チャンネルＣＨ６（ＣＨ１１，ＣＨ１４））で無線端末装置２０と無線通信を行い、無線端末装置２０から送信されたイベントデータを受信して、そのイベントデータを管理サーバ１０へ送信する役割を果たす。
【００２５】
なお、通常時アクセスポイントＡＰ１とイベント発生時アクセスポイントＡＰ２，ＡＰ３，ＡＰ４には、それぞれ異なる無線周波数が用いられているため、通常時アクセスポイントＡＰ１にはチャンネルＣＨ１が設定され、イベント発生時アクセスポイントＡＰ２にはチャンネルＣＨ６，イベント発生時アクセスポイントＡＰ３にはチャンネルＣＨ１１，イベント発生時アクセスポイントＡＰ４にはチャンネルＣＨ１４が設定されている場合について説明する。
【００２６】
前記のとおり、干渉しない複数の無線周波数には、図２（ａ）に示すように、チャンネルＣＨ１，チャンネルＣＨ６，チャンネルＣＨ１１，チャンネルＣＨ１４の４チャンネルを用いる。なお、第一の通信装置である無線ＬＡＮと第二の通信装置は公知のものを用いているため、その説明を省略する。
なお、通常時アクセスポイントＡＰ１及びイベント発生時アクセスポイントＡＰ２〜ＡＰ４の周囲に生じる無線通信が可能となる無線通信領域には、複数の無線端末装置２０，２０・・・が配置される（図１参照）。
【００２７】
無線端末装置２０は、図３に示すように、イベント発生時の無線周波数及び通常時の無線周波数をデータ化した無線周波数データベースＤＢを格納した記憶装置２１と、与えられたプログラムに従い各処理を行う処理部であるＣＰＵ（Ｃｅｎｔｒａｌ  Ｐｒｏｃｅｓｓｉｎｇ  Ｕｎｉｔ）（図示せず）と、イベント発生時を検知して、イベントを検知したことを示す検知符合をデータ化した検知データを出力するセンサＣ１〜Ｃ３と、センサＣ１〜Ｃ３を撮影してメディアデータを生成して出力する監視装置Ｍと、センサＣ１〜Ｃ３からの検知データと監視装置Ｍからのメディアデータとを入力してイベントデータを生成するイベントデータ生成手段２２と、イベントデータを入力したか否かによりイベントの発生を判定するイベント発生判定手段２３と、判定結果に基づいて、無線周波数データベースＤＢを参照し、無線通信を行う無線周波数を決定する無線周波数抽出手段２４と、無線通信を行う無線周波数を決定した無線周波数に設定する無線周波数切り替え手段２５と、無線ＬＡＮ２７を用いて通常時アクセスポイントＡＰ１又はイベント発生時アクセスポイントＡＰ２（ＡＰ３，ＡＰ４）に通常時データ又はイベントデータを通知する通知手段２６と設定された無線周波数でアクセスポイントＡＰと無線通信を行う通信装置としての無線ＬＡＮ（ＩＥＥＥ８０２．１１ｂ）２７とから構成されている。なお、無線ＬＡＮ２７は公知のものを用いているため、その説明を省略する。
【００２８】
無線周波数データベースＤＢは、図４（ａ）に示すように、センサＣ１〜Ｃ３の検知符号を関連付けたイベント発生時の無線周波数及び通常時を示す通常時符号を関連付けた通常時の無線周波数をデータ化したものであり、さらに、このイベント発生時の無線周波数及び通常時の無線周波数にデータ化したイベント状態を関連付けている。
【００２９】
例えば、図４（ａ）に示すように、センサＣ１がイベントを検知した場合のイベント状態を「イベントＡ発生」とし、同様に、センサＣ２の場合は「イベントＢ発生」、センサＣ３の場合は「イベントＣ発生」とする。また、各センサＣ１〜Ｃ３がイベントを検知していない場合のイベント状態を「イベント無し」とし、各センサＣ１〜Ｃ３がイベントの検知をしなくなった場合、つまり、イベントが終了した場合のイベント状態も「イベント無し」とする。
【００３０】
このとき、イベント状態が「イベントＡ発生」の場合、この「イベントＡ発生」にセンサＣ１の検知符号をデータ化した「□□□」が関連付けられるとともに、無線周波数「ｆａ」が関連付けられる。この無線周波数「ｆａ」は、例えば、無線周波数であるチャンネルＣＨ６の中心周波数とするのが望ましい（図２参照）。このようにして、複数のセンサＣ１〜Ｃ３のそれぞれに対して無線周波数が割り当てられる。
また、イベント状態が「イベント無し」の場合には、「イベント無し」にはセンサＣ１〜Ｃ３は関連付けられず、通常時データ「△△」と無線周波数「ｆ０」が関連付けられる。
【００３１】
センサＣ１（Ｃ２，Ｃ３）は、図３に示すように、イベントの発生を検知して、このイベントの発生を検知したことを示す検知符号をデータ化した検知データ「□□□（○○○，＊＊＊）」（図４（ｂ）参照）を、後述するイベントデータ生成手段２２へ出力する。
このセンサＣ１（Ｃ２，Ｃ３）には、赤外線センサ，圧力センサ，温度センサなど、あらゆるセンサを用いることができる。
【００３２】
監視装置Ｍは、図３に示すように、ＴＶカメラやＣＣＤカメラ等を用い、センサＣ１（Ｃ２，Ｃ３）から離れた位置に設置され、当該センサＣ１（Ｃ２，Ｃ３）の周囲を撮影し、動画，静止画，音声等をデータ化したメディアデータを生成する役割を果たす。
この監視装置Ｍは、センサＣ１（Ｃ２，Ｃ３）が検知データを出力すると監視（撮影，録音も含む）を開始してメディアデータを生成し、このメディアデータをイベントデータ生成手段２２へ出力する。
【００３３】
記憶装置２１は、公知のものを用い、無線周波数データベースＤＢを格納する役割を果たす。
【００３４】
ＣＰＵは、図示しないが、公知のものを用い、与えられたプログラムに従い各処理を行う処理部としての役割を果たす。
【００３５】
イベントデータ生成手段２２は、図３に示すように、センサＣ１（Ｃ２〜Ｃ３）から出力された検知データと、監視装置Ｍから出力されたメディアデータとを入力して、検知データにメディアデータを結合することによりイベントデータ（図４（ｃ）参照）を生成する役割を果たす。
このイベントデータ生成手段２２は、生成したイベントデータをイベント発生判定手段２３へ出力する。
【００３６】
プログラムは、ＣＰＵにより、通常時では前記無線周波数データベースＤＢを読み込み、通常時データの通常時符号と関連付けられている通常時の無線周波数を抽出して、その抽出した無線周波数で通常時アクセスポイントＡＰ１と無線ＬＡＮ（通信装置）２７を用いて無線通信をする第一手順と、イベント発生時では各センサＣ１〜Ｃ３から検知データが出力された場合に、イベント発生時と判定する第二手順と、検知データを入力し、無線周波数データベースＤＢを読み込んで検知データの検知符号と関連付けられているイベント時の無線周波数を抽出して、通常時に用いていた無線周波数を抽出したイベント時の無線周波数に切り替えてイベント発生時アクセスポイントＡＰ２（ＡＰ３，ＡＰ４）と無線ＬＡＮ（通信装置）２７を用いて無線通信をする第三手順と、イベントが終了した場合に通常時と判定する第四手順と、以下、第一手順と同様に実行する。
【００３７】
これら手順を実行するために、プログラムは、無線端末装置２０に備えられたイベント発生判定手段２３、無線周波数抽出手段２４、無線周波数切り替え手段２５、通知手段２６を実行する。
【００３８】
イベント発生判定手段２３は、図３に示すように、イベントデータを入力したか否かによりイベントの発生を判定する役割を果たす。
このイベント発生判定手段２３は、イベントデータ生成手段２２からイベントデータが出力されなかった場合は、イベント状態を「イベント無し」と判定して、通常時を示す通常時符号をデータ化した通常時データを無線周波数抽出手段２４へ出力し、イベントデータ生成手段２２から出力されたイベントデータを入力した場合は、イベント状態を「イベント発生」と判定して、そのイベントデータを無線周波数抽出手段２４へ出力する。
なお、このイベントの発生を判定は、所定の時間を経過するごとに行うようにする。
【００３９】
無線周波数抽出手段２４は、図３に示すように、イベント発生判定手段２３の判定に基づいて、無線周波数データベースＤＢを参照し、入力した通常時データ又はイベントデータから無線通信を行う無線周波数を抽出する役割を果たす。
【００４０】
通常時データを入力した場合、無線周波数抽出手段２４は、入力した通常時データに基づいて、記憶装置２１に格納されている無線周波数データベースＤＢを読み込み、通常時データの通常時符号と関連付けられている無線周波数「ｆ０」を抽出する。このようにして抽出された無線周波数と通常時データとを無線周波数切り替え手段２５へ出力する。
また、イベント発生判定手段２３からイベントデータを入力した場合は、無線周波数データベースＤＢを読み込み、入力したイベントデータに基づいて、例えば、センサＣ１から出力された検知データが含まれるイベントデータを入力した場合は、そのイベントデータに含まれる検知データの検知符号と関連付けられている無線周波数「ｆａ」を抽出する（図４（ａ）参照）。このようにして抽出された無線周波数とイベントデータとを無線周波数切り替え手段２５へ出力する。
【００４１】
無線周波数切り替え手段２５は、図３に示すように、入力した通常時データ又はイベントデータを通知手段２６へ出力し、無線周波数抽出手段２４によって抽出された無線周波数を、無線通信を行う無線周波数として切り替える役割を果たす。
【００４２】
通知手段２６は、無線周波数切り替え手段２５から通常時データとこの通常時データの通常時符号と関連付けられた無線周波数（抽出した無線周波数）又はイベントデータとこのイベントデータに含まれる検知データの検知符号と関連付けられた無線周波数（抽出した無線周波数）とを入力し、無線ＬＡＮ２７を用いてアクセスポイントＡＰに通常時データ又はイベントデータを通知する役割を果たす。
【００４３】
このように無線通信システム１００を構成したことにより、通常時の場合とイベント発生時の場合とで無線周波数が異なるので、イベントを検知していない複数の無線端末装置２０が同一のアクセスポイントＡＰ１と通常時に用いられる無線周波数で無線通信を行っていても、イベントを検知した無線端末装置２０がイベント発生時アクセスポイントＡＰ２（ＡＰ３，ＡＰ４）にイベント発生時に用いられる無線周波数で無線通信を行ってイベントデータ（容量の多いデータ）を送信するので、イベントを検知した無線端末装置２０に割り当てられる送受信可能な容量が通常時の容量と比較して大きくなり、イベントデータ（通常時データよりも容量の多いデータ）を無線通信により容易に送信することができる。
【００４４】
また、複数のセンサＣ１，Ｃ２，Ｃ３のそれぞれに異なる無線周波数を関連付けることにより、センサの種類や性質に応じて無線周波数を使い分けることができるので、複数の異なる性質のイベントを各センサＣ１，Ｃ２，Ｃ３が検知しても、イベントデータ（通常時データよりも容量の多いデータ）を無線通信により容易に送信することができる。
【００４５】
次に本発明の第一実施形態に係る無線通信システムの作動状態について図３及び図５を参照しながら説明する。
【００４６】
まず、図１に示すように、管理サーバ１０と通常時アクセスポイントＡＰ１及びイベント発生時アクセスポイントＡＰ２〜ＡＰ４とは接続された状態となっており、当該通常時アクセスポイントＡＰ１からの通常時データ及びイベント発生時アクセスポイントＡＰ２〜ＡＰ４からのイベントデータを管理サーバ１０で受信することができるようになっている。また、複数の無線端末装置２０，２０・・・が通常時アクセスポイントＡＰ１及びイベント発生時アクセスポイントＡＰ２〜ＡＰ４の無線通信領域の内部に位置しており、通常時データを通常時アクセスポイントＡＰ１へ、イベントデータをイベント発生時アクセスポイントＡＰ２〜ＡＰ４へ送信できるようになっている。また、通常時アクセスポイントＡＰ１及びイベント発生時アクセスポイントＡＰ２〜ＡＰ４は、これら無線端末装置２０，２０・・・と無線通信できるようにもなっている。
【００４７】
各無線端末装置２０，２０・・・は、無線通信領域内（図１参照）であって、センサＣ１（Ｃ２，Ｃ３）を、イベントを検知する被対象物に設置し、かつ、監視装置ＭをこのセンサＣ１（Ｃ２，Ｃ３）から離れた位置に設置した状態で設置される（図示せず）。
【００４８】
このような設置状態及び通信接続状態において、検知する被対象物が物理的変化を起こさない場合、センサＣ１（Ｃ２，Ｃ３）は、イベントを検知しないため検知データを出力しない。これにより、イベントデータ生成手段２２は、イベントデータを生成及びイベント発生判定手段２３へイベントデータを出力することができない。
【００４９】
（第一手順）
したがって、プログラムがＣＰＵで実行する第一手順は、後述のとおりとなる。
イベント発生判定手段２３は、図３及び図５に示すように、イベントデータを入力しないことにより（Ｓ１，Ｎｏ）、イベント状態を「イベント無し」、つまり「通常時」と判定し（Ｓ２）、その判定に基づいて、通常時を示す通常時符号をデータ化した通常時データを生成して出力する（Ｓ３）。この通常時データは無線周波数抽出手段２４へ入力され、無線周波数抽出手段２４は、入力した通常時データに基づいて、記憶装置２１に格納されている無線周波数データベースＤＢを読み込み、入力した通常時データの通常時符号と関連付けられている無線周波数を抽出（Ｓ４）し、その抽出した無線周波数を通常時データとともに無線周波数切り替え手段２５へ出力する。無線周波数切り替え手段２５は、無線周波数抽出手段２４によって抽出された無線周波数を、無線通信を行う無線周波数として切り替え（Ｓ５）、通常時データを通知手段２６へ出力する。通知手段２６は、無線周波数切り替え手段２５により切り替えられた無線周波数で通常時アクセスポイントＡＰ１と無線通信を行い（Ｓ６）、通常時データを通常時アクセスポイントＡＰ１に通知する。
【００５０】
次に、このような設置状態及び通信接続状態において、検知する被対象物が物理的変化を起こした場合、センサＣ１（Ｃ２，Ｃ３）は、イベントの発生を検知して、イベントを検知したことを示す検知符合をデータ化した検知データを出力する。このとき、監視装置Ｍは、例えば、イベントを検知したセンサＣ１（Ｃ２，Ｃ３）の周囲の撮影を開始し、メディアデータを生成して出力する。イベントデータ生成手段２２は、センサＣ１（Ｃ２，Ｃ３）から入力した検知データと監視装置Ｍから入力したメディアデータとからイベントデータを生成し、イベント発生判定手段２３へイベントデータを出力する。
【００５１】
（第二手順）
したがって、プログラムがＣＰＵで実行する第二手順は、後述のとおりとなる。
イベント発生判定手段２３は、図３及び図５に示すように、イベントデータ生成手段２２から出力されたイベントデータを入力し（Ｓ２，Ｙｅｓ）、「イベント発生時」と判定して（Ｓ７）、その判定に基づいて無線周波数抽出手段２４へイベントデータを出力する（Ｓ８）。
【００５２】
（第三手順）
また、プログラムがＣＰＵで実行する第三手順は、後述のとおりとなる。
無線周波数抽出手段２４は、図３及び図５に示すように、イベント発生判定手段２３からのイベントデータを入力し、入力したイベントデータに基づいて、記憶装置２１に格納されている無線周波帯データベースＤＢを読み込み、入力したイベントデータに含まれる検知データの検知符号と関連付けられている無線周波数を抽出（Ｓ８）し、その抽出した無線周波数をイベントデータとともに無線周波数切り替え手段２５へ出力する。無線周波数切り替え手段２５は、無線周波数抽出手段２４によって抽出された無線周波数を、無線通信を行う無線周波数として切り替え（Ｓ１０）、イベントデータを通知手段２６へ出力する。通知手段２６は、無線ＬＡＮ２７を用いて無線周波数切り替え手段２５により切り替えられた無線周波数でイベント発生時アクセスポイントＡＰ２（ＡＰ３，ＡＰ４）と無線通信を行い（Ｓ６）、イベントデータをイベント発生時アクセスポイントＡＰ２（ＡＰ３，ＡＰ４）に通知する。
【００５３】
そして、被対象物の物理的変化が改善された場合、センサＣ１（Ｃ２，Ｃ３）は、検知データを出力しない。これにより、イベントデータ生成手段２２は、イベントデータを生成及びイベント発生判定手段２３へイベントデータを出力することができない。
【００５４】
（第四手順）
したがって、プログラムがＣＰＵで実行する第四手順は、後述のとおりとなる。
イベント発生判定手段２３は、図３及び図５に示すように、イベントデータを入力しないことにより（Ｓ１，Ｎｏ）、イベント状態を「イベント無し」、つまり「通常時」と判定する（Ｓ２）。以後の手順は、第一手順と同様である。
【００５５】
このように、通常時とイベント発生時とで異なる無線周波数を用いることにより、イベント発生時が緊急時である場合でも、イベントデータ（容量が多いデータ）を容易にイベント発生時アクセスポイントＡＰ２（ＡＰ３，ＡＰ４）へ送信することができる。
また、無線周波数の切り替えが容易であり、用いる無線ＬＡＮ２７も既存のものを用いることができるため、設置が容易であり、また、設置にかかるコストを低減することができる。
【００５６】
以上、本発明の実施形態について説明したが、本発明は前記実施形態には限定されない。例えば、本発明の第二の実施形態に係る無線通信システム１０１において、無線ＬＡＮの規格を同一とする通常時アクセスポイントＡＰ１及びイベント発生時アクセスポイントＡＰ２〜ＡＰ４を設けていたが、それぞれには、異なる規格の無線ＬＡＮ（例えば、ＩＥＥＥ８０２．１１ｇ等）を設けても良い。
また、図２（ｂ）〜図２（ｅ）に示すように、干渉しない範囲で複数の異なる無線周波数を用いても良い。
なお、無線ＬＡＮに用いる規格は、前記各実施形態で用いたＩＥＥＥ８０２．１１ｂの他に、ＩＥＥＥ８０２．１１ａ、ＩＥＥＥ８０２．１１ｅ、ＩＥＥＥ８０２．１１ｆ、ＩＥＥＥ８０２．１１ｇ、ＩＥＥＥ８０２．１１ｈ、ＩＥＥＥ８０２．１１ｉ、ＩＥＥＥ８０２．１１ｊ、ＩＥＥＥ８０２．１１ｋ、ＩＥＥＥ８０２．１１ｍなどを用いることができる。
【００５７】
また、センサには、ビデオセンサを用いても良い。これにより、検知データとメディアデータを同時に生成することができ、イベントデータを直接生成しても良い。
【００５８】
また、本発明の無線端末装置２０及び無線システム１００，１０１は、建物や乗り物などに適用することができる。
例えば、無線端末装置２０を建物に設ける場合、無線端末装置２０のセンサＣ１（Ｃ２，Ｃ３）を赤外線センサとし、玄関や窓などに取り付けておけば、その窓や玄関から侵入した者を検知して、イベントデータを生成し、管理サーバ１０へアクセスポイントＡＰを介して送信することができる。したがって、空き巣等の犯罪が行われた場合の緊急警報としての役割を果たすことができる。
また、センサＣ１（Ｃ２，Ｃ３）を感熱センサとし、台所に設置しておけば、台所で出火した場合に、火災の発生を検知してイベントデータを生成し、管理サーバ１０へアクセスポイントＡＰを介して送信することができる。したがって、火災が発生した場合の緊急警報としての役割を果たすことができる。
さらに、無線端末装置２０を乗り物に設ける場合、無線端末装置２０のセンサＣ１（Ｃ２，Ｃ３）を加速度センサとし、乗り物（例えば、バイクや自動車）の車体に取り付けておけば、乗り物が動かされた場合に、振動を検知してイベントデータを生成し、管理サーバ１０へアクセスポイントＡＰを介して送信することができる。したがって、乗り物が盗難された場合の緊急警報としての役割を果たすことができる。
【図面の簡単な説明】
【００５９】
【図１】本発明の無線通信システムの一例を示す概略図である。
【図２】（ａ）は４つのチャンネルが干渉しない複数の無線周波数となっている状態を示す図である。（ｂ）は３つのチャンネルが干渉しない複数の無線周波数となっている状態を示す図である。（ｃ）は３つのチャンネルが干渉しない複数の無線周波数となっている他の例を示す図である。（ｄ）は２つのチャンネルが干渉しない複数の無線周波数となっている状態を示す図である。（ｅ）は２つのチャンネルが干渉しない複数の無線周波数となっている他の例を示す図である。
【図３】本発明の無線端末装置の一例を示すブロック図である。
【図４】（ａ）は無線周波数データベースの一例を示す概念図である。（ｂ）は検知データの一例を示す概念図である。（ｃ）はイベントデータの一例を示す概念図である。（ｄ）は通常時データの一例を示す概念図である。
【図５】本発明の無線通信システムの一例を示すフローチャートである。
【符号の説明】
【００６０】
１００  無線通信システム
１０    管理サーバ
２０    無線端末装置
２１    記憶装置
２２    イベントデータ生成手段
２３    イベント発生判定手段
２４    無線周波数抽出手段
２５    無線周波数切り替え手段
２６    通知手段
２７    無線ＬＡＮ（通信装置）
ＤＢ    無線周波数データベース
Ｍ      監視装置
Ｃ１、Ｃ２、Ｃ３  センサ
ＡＰ１  通常時アクセスポイント
ＡＰ２、ＡＰ３、ＡＰ４  イベント発生時アクセスポイント
【図１】
2006135491.tif 000003
【図２】
2006135491.tif 000004
【図３】
2006135491.tif 000005
【図４】
2006135491.tif 000006
【図５】
2006135491.tif 000007